【手続補正書】
【提出日】令和3年3月22日(2021.3.22)
【手続補正１】
【補正対象書類名】明細書
【補正対象項目名】発明の名称
【補正方法】変更
【補正の内容】
【発明の名称】情報処理装置、システムおよびプログラム
【手続補正２】
【補正対象書類名】明細書
【補正対象項目名】０００１
【補正方法】変更
【補正の内容】
【０００１】
本発明は、情報処理装置、システムおよびプログラムに関する。
【手続補正３】
【補正対象書類名】明細書
【補正対象項目名】０００５
【補正方法】変更
【補正の内容】
【０００５】
本発明は、上記に鑑みてなされたものであって、健康器具を利用して運動する被験者に対して、自身が理想的な運動を行っているかどうかを認識させることが可能な情報処理装置、システムおよびプログラムを提供することを目的とする。
【手続補正４】
【補正対象書類名】明細書
【補正対象項目名】０００６
【補正方法】変更
【補正の内容】
【０００６】
上述した課題を解決し、目的を達成するために、本発明は、運動器具を利用して運動する被験者が理想的な運動を行っているかを前記被験者に認識させるためのガイド情報を表示させる第１のモードと、見本となる動画を再生する第２のモードとのいずれかの選択を受け付ける第１の選択画面を介して受け付ける受付部と、前記第１のモードの選択を前記第１の選択画面を介して受け付けたとき、前記被験者を検出するための検出領域を撮像して得られる撮像画像と前記検出領域の被写体の深度情報とに基づいて生成されるガイド情報と、前記撮像画像と前記深度情報とから該撮像画像に映り込んだ前記被験者の各部の関節を推定した結果を示す骨格データを該撮像画像上に重ね合わせたモーション画像と、を表示部に出力し、前記第２のモードの選択を前記第１の選択画面を介して受け付けたとき、見本となる動画を前記表示部に出力して再生するように切り替える制御を行う出力制御部と、を備える情報処理装置である。
【手続補正５】
【補正対象書類名】明細書
【補正対象項目名】０００９
【補正方法】変更
【補正の内容】
【０００９】
以下、添付図面を参照しながら、本発明に係る情報処理装置、システムおよびプログラムの実施形態を詳細に説明する。
【手続補正６】
【補正対象書類名】特許請求の範囲
【補正対象項目名】全文
【補正方法】変更
【補正の内容】
【特許請求の範囲】
【請求項１】
運動器具を利用して運動する被験者が理想的な運動を行っているかを前記被験者に認識させるためのガイド情報を表示させる第１のモードと、見本となる動画を再生する第２のモードとのいずれかの選択を受け付ける第１の選択画面を介して受け付ける受付部と、
前記第１のモードの選択を前記第１の選択画面を介して受け付けたとき、前記被験者を検出するための検出領域を撮像して得られる撮像画像と前記検出領域の被写体の深度情報とに基づいて生成されるガイド情報と、前記撮像画像と前記深度情報とから該撮像画像に映り込んだ前記被験者の各部の関節を推定した結果を示す骨格データを該撮像画像上に重ね合わせたモーション画像と、を表示部に出力し、前記第２のモードの選択を前記第１の選択画面を介して受け付けたとき、見本となる動画を前記表示部に出力して再生するように切り替える制御を行う出力制御部と、を備える、
情報処理装置。
【請求項２】
前記ガイド情報を生成するガイド情報生成部を更に有し、
前記ガイド情報生成部は、前記骨格データに基づいて前記ガイド情報を生成する、
請求項１に記載の情報処理装置。
【請求項３】
前記第１のモードの選択を受け付けた後、前記受付部はさらに、複数のトレーニング項目から１以上の所望のトレーニング項目の選択を受け付ける第２の選択画面を介して受け付け、
前記ガイド情報生成部は、選択された前記１以上の所望のトレーニング項目に応じたガイド情報をそれぞれ生成する、
請求項２に記載の情報処理装置。
【請求項４】
前記ガイド情報生成部は、
前記被験者が基準姿勢のときの前記骨格データに基づいて、体が左右へぶれているかどうかの基準となる基準線を表す情報を前記ガイド情報として生成する、
請求項２又は３に記載の情報処理装置。
【請求項５】
前記ガイド情報生成部は、
前記骨格データに含まれる前記各部の関節のうち重心位置に対応する関節の位置と、重心位置の推奨範囲とをｘｚ平面上で表す情報を前記ガイド情報として生成する、
請求項２乃至４のいずれか一項に記載の情報処理装置。
【請求項６】
前記ガイド情報生成部は、
前記骨格データ、および、体軸の推奨範囲を、前記被験者の奥行き方向に延びる第１の軸と、前記被験者の上下方向に延びるとともに前記第１の軸と直交する第２の軸とを含む平面上で表す情報を、前記ガイド情報として生成する、
請求項２乃至５のいずれか一項に記載の情報処理装置。
【請求項７】
前記運動器具を利用する運動は、足を回転させながら交互に前後へ移動させる足こぎ運動である、
請求項１乃至６のうちの何れか一項に記載の情報処理装置。
【請求項８】
運動器具と、情報処理装置と、を備えるシステムであって、
前記運動器具を利用して運動する被験者が理想的な運動を行っているかを前記被験者に認識させるためのガイド情報を表示させる第１のモードと、見本となる動画を再生する第２のモードとのいずれかの選択を受け付ける第１の選択画面を介して受け付ける受付部と、
前記第１のモードの選択を前記第１の選択画面を介して受け付けたとき、前記被験者を検出するための検出領域を撮像して得られる撮像画像と前記検出領域の被写体の深度情報とに基づいて生成されるガイド情報と、前記撮像画像と前記深度情報とから該撮像画像に映り込んだ前記被験者の各部の関節を推定した結果を示す骨格データを該撮像画像上に重ね合わせたモーション画像と、を表示部に出力し、前記第２のモードの選択を前記第１の選択画面を介して受け付けたとき、見本となる動画を前記表示部に出力して再生するように切り替える制御を行う出力制御部と、を備える、
システム。
【請求項９】
前記ガイド情報を生成するガイド情報生成部を更に有し、
前記ガイド情報生成部は、前記骨格データに基づいて前記ガイド情報を生成する、
請求項８に記載のシステム。
【請求項１０】
前記第１のモードの選択を受け付けた後、前記受付部はさらに、複数のトレーニング項目から１以上の所望のトレーニング項目の選択を受け付ける第２の選択画面を介して受け付け、
前記ガイド情報生成部は、選択された前記１以上の所望のトレーニング項目に応じたガイド情報をそれぞれ生成する、
請求項９に記載のシステム。
【請求項１１】
前記ガイド情報生成部は、
前記被験者が基準姿勢のときの前記骨格データに基づいて、体が左右へぶれているかどうかの基準となる基準線を表す情報を前記ガイド情報として生成する、
請求項９又は１０に記載のシステム。
【請求項１２】
前記ガイド情報生成部は、前記骨格データに含まれる前記各部の関節のうち重心位置に対応する関節の位置と、重心位置の推奨範囲とをｘｚ平面上で表す情報を前記ガイド情報として生成する、
請求項９乃至１１のいずれか一項に記載のシステム。
【請求項１３】
前記ガイド情報生成部は、
前記骨格データ、および、体軸の推奨範囲を、前記被験者の奥行き方向に延びる第１の軸と、前記被験者の上下方向に延びるとともに前記第１の軸と直交する第２の軸とを含む平面上で表す情報を、前記ガイド情報として生成する、
請求項９乃至１２のいずれか一項に記載のシステム。
【請求項１４】
前記運動器具を利用する運動は、足を回転させながら交互に前後へ移動させる足こぎ運動である、
請求項８乃至１３のうちのいずれか一項に記載のシステム。
【請求項１５】
コンピュータを、
運動器具を利用して運動する被験者が理想的な運動を行っているかを前記被験者に認識させるためのガイド情報を表示させる第１のモードと、見本となる動画を再生する第２のモードとのいずれかの選択を受け付ける第１の選択画面を介して受け付ける受付部と、
前記第１のモードの選択を前記第１の選択画面を介して受け付けたとき、前記被験者を検出するための検出領域を撮像して得られる撮像画像と前記検出領域の被写体の深度情報とに基づいて生成されるガイド情報と、前記撮像画像と前記深度情報とから該撮像画像に映り込んだ前記被験者の各部の関節を推定した結果を示す骨格データを該撮像画像上に重ね合わせたモーション画像と、を表示部に出力し、前記第２のモードの選択を前記第１の選択画面を介して受け付けたとき、見本となる動画を前記表示部に出力して再生するように切り替える制御を行う出力制御部と、
として機能させるためのプログラム。
【請求項１６】
前記ガイド情報を生成するガイド情報生成部として前記コンピュータをさらに機能させ、
前記ガイド情報生成部は、前記骨格データに基づいて前記ガイド情報を生成する、
請求項１５に記載のプログラム。
【請求項１７】
前記第１のモードの選択を受け付けた後、前記受付部はさらに、複数のトレーニング項目から１以上の所望のトレーニング項目の選択を受け付ける第２の選択画面を介して受け付け、
前記ガイド情報生成部は、選択された前記１以上の所望のトレーニング項目に応じたガイド情報をそれぞれ生成する、
請求項１６に記載のプログラム。
【請求項１８】
前記ガイド情報生成部は、
前記被験者が基準姿勢のときの前記骨格データに基づいて、体が左右へぶれているかどうかの基準となる基準線を表す情報を前記ガイド情報として生成する、
請求項１６又は１７に記載のプログラム。
【請求項１９】
前記ガイド情報生成部は、
前記骨格データに含まれる前記各部の関節のうち重心位置に対応する関節の位置と、重心位置の推奨範囲とをｘｚ平面上で表す情報を前記ガイド情報として生成する、
請求項１６乃至１８のいずれか一項に記載のプログラム。
【請求項２０】
前記ガイド情報生成部は、
前記骨格データ、および、体軸の推奨範囲を、前記被験者の奥行き方向に延びる第１の軸と、前記被験者の上下方向に延びるとともに前記第１の軸と直交する第２の軸とを含む平面上で表す情報を、前記ガイド情報として生成する、
請求項１６乃至１９のいずれか一項に記載のプログラム。